(57)【要約】【課題】記録前に信号発生回路の制御信号を設定する設定値のデータ取得において、フォーカスサーボのオン・オフを必要としないと共に、記録速度によってデータ量当たりのデータ取得の間隔が相違しないようにすることを課題とする。【解決手段】信号発生回路９により発生させる制御出力をそれぞれ設定する２系統の一方の設定回路１６を記録が開始される時点で選択すると共に、他方の設定回路１７を記録が開始される直前まで選択し、レーザー光源１の発光出力光量を最適記録レベルに制御する調整時に信号発生回路９からの制御出力を測定して得られる測定データを記録用ディスクのウォブル同期信号のタイミングで取得し、この測定データに基づいて他方の系統の設定回路１７の設定値を設定し、記録開始の直前に他方の系統の設定回路１７により信号発生回路９からレーザー光源１の発光出力光量が最適記録レベルとなる制御出力を発生するようにしている。【選択図】    図１
2004295980.tif 000002
【特許請求の範囲】
【請求項１】
光学ヘッドのレーザー光源をレーザードライバからレーザー駆動信号を発生させて駆動し、この駆動に応じて光学ヘッドから出射されるレーザービームを用いてディスクに信号記録を行う光ディスク記録装置であって、前記レーザー駆動信号のパルス波形におけるライトパワー値、あるいはイレーズパワー値に対応してレーザードライバを制御する制御出力を発生する信号発生回路を設け、該信号発生回路により発生させる制御出力をそれぞれ設定する２系統の設定回路を選択的に使用可能とし、一方の系統の設定回路を記録が開始される時点で選択すると共に、他方の系統の設定回路を記録が開始される直前まで選択し、前記一方の系統の設定回路はレーザー光源の発光出力光量を最適記録レベルに制御する調整時に段階的に設定値が変化され、レーザー光源の発光出力光量が最適記録レベルであると判断された際の最適設定値に設定し、前記レーザー光源の発光出力光量を最適記録レベルに制御する調整時に前記信号発生回路により発生させる制御出力を測定すると共に、この測定した制御出力に対応する測定データを記録用ディスクのウォブル同期信号のタイミングで取得し、レーザー光源の発光出力光量が最適記録レベルであると判断された際に測定された測定データに基づいて前記他方の系統の設定回路の設定値を設定し、記録開始の直前に前記他方の系統の設定回路により前記信号発生回路からレーザー光源の発光出力光量が最適記録レベルとなる制御出力を発生するようにしたことを特徴とする光ディスク記録装置。
【請求項２】
前記一方の系統の設定回路はレーザー光源の発光出力に基づくモニター出力をサンプル・ホールド回路によりサンプル・ホールドしたモニター電圧に対応して発生される制御出力が補正されるＡＰＣ回路により構成されることを特徴とする請求項１記載の光ディスク記録装置。
【請求項３】
前記測定データを複数サンプルし、サンプルした複数の測定データに基づいて前記他方の系統の設定回路の設定値を設定することを特徴とする請求項１記載の光ディスク記録装置。
【請求項４】
ディスクにデータ記録が行なわれる１単位の記録長分の期間において最初に検出されるウォブル同期信号のタイミングにサンプルした測定データを除いて前記他方の系統の設定回路の設定値を設定することを特徴とする請求項３記載の光ディスク記録装置。
【発明の詳細な説明】
【０００１】
【発明の属する技術分野】
本発明は、光学ヘッドからレーザービームを出射してディスクに信号記録を行う光ディスク記録装置に関し、特に、光学ヘッドのレーザー光源を駆動するレーザードライバに供給される制御信号が記録開始直後から立ち上がるようにしたディスク記録装置に関する。
【０００２】
【従来の技術】
光学ヘッドからの光ビームを用いてディスクにデジタルのデータ信号を記録する光ディスク記録装置としては、ＣＤ（Ｃｏｍｐａｃｔ  Ｄｉｓｃ）ファミリーのＣＤ−Ｒ（Ｒｅｃｏｒｄａｂｌｅ）及びＣＤ−ＲＷ（ＲｅＷｒｉｔａｂｌｅ）、あるいはＤＶＤ（Ｄｉｇｉｔａｌ  Ｖｅｒｓａｔｉｌｅ  Ｄｉｓｃ）ファミリーのマイナス（−）系及びプラス（＋）系のＲ（Ｒｅｃｏｒｄａｂｌｅ）、−系及び＋系のＲＷ（ＲｅＷｒｉｔａｂｌｅ）、及びＲＡＭに対応するドライブ装置が良く知られており、この光ディスク記録装置においては、記録速度の高速化が図られている。
【０００３】
ところで、このような光ディスク記録装置により記録されるディスクは、メーカーや速度対応グレードにより使用する材質が相違し、それにより記録感度が相違したり、あるいは個体差により記録感度が相違する。
【０００４】
その為、光ディスク記録装置においては、記録時に光学ヘッドから出射される発光出力がそれらの記録感度差を補償するべく制御され、光学ヘッドの発光出力がディスクの記録に最適な記録レベルに設定されるべくＯＰＣ（Ｏｐｔｉｍｕｍ  Ｐｏｗｅｒ  Ｃｏｎｔｒｏｌ）が行なわれる。
【０００５】
この光学ヘッドの発光出力の設定は、記録開始時において、ＣＤ記録系においてはディスクにおける実際のデータ信号を記録するプログラムエリアとは別に設けられた発光出力設定用のパワーキャリブレーションエリア（ＰＣＡ）に発光出力を段階的に変化させてテスト信号を試し書きし、そのテスト信号を光学ヘッドにより読み取って再生されるＲＦ（ｒａｄｉｏ  ｆｒｅｑｕｅｎｃｙ）信号からオフセットを除去したプラス側及びマイナス側のそれぞれの振幅値Ａ及びＢを用いてβ値（記録の深さ）＝（Ａ＋Ｂ）／（Ａ−Ｂ）を検出して行われる（例えば、特許文献１参照）。
【０００６】
ところで、光ディスク記録装置は、一般的に、ライトワンス方式のドライブの場合、記録時において図２（イ）に示す如く、ライトパワー値とリードパワー値との２値による矩形状のパルス波形のレーザー駆動信号により光学ヘッドのレーザー光源を駆動するようになっており、一方、上書きによる書き換えが可能なオーバーライト方式の場合、記録時において図２（ロ）に示す如く、ピークパワー値及びボトムパワー値間で振幅させたパルス状部分とイレーズパワー値とを合成したマルチパルス波形のレーザー駆動信号により光学ヘッドのレーザー光源を駆動するようになっている。
【０００７】
その為、光学ヘッドのレーザー光源を駆動するレーザー駆動信号を発生するレーザードライバには、信号記録に用いられる各パワー値を発生させる各制御信号をそれぞれ発生する各信号発生回路が独立して設けられており、各信号発生回路が発生する各制御信号を選択的に供給するようにして信号記録に用いられるパルス波形に対応する制御信号が供給されるようになっている（例えば、特許文献２参照）。
【０００８】
【特許文献１】
特開平７−２３５０５５号公報
【特許文献２】
特開２００１−３４９８７号公報
【０００９】
【発明が解決しようとする課題】
ところで、ライトワンス方式のドライブにおけるライトパワー値に対応する制御信号を発生するライト信号発生回路、あるいはオーバーライト方式のドライブにおけるイレーズパワー値に対応する制御信号を発生するイレーズ信号発生回路は、正確な制御信号を得るため、レーザー光源の発光出力に基づくモニター出力をサンプル・ホールド回路によりサンプル・ホールドし、このサンプル・ホールドしたモニター電圧を監視してＡＰＣ（Ａｕｔｏｍａｔｉｃ  Ｐｏｗｅｒ  Ｃｏｎｔｒｏｌ）回路により発生される制御信号を補正するように構成されているものがある。
【００１０】
このような構成の信号発生回路を備える光ディスク記録装置の場合、ＡＰＣ回路の追従により信号発生回路から安定した制御信号が発生されるまでレーザー駆動信号が安定せずレーザー光源の発光出力が記録開始直後に立ち上がっておらず、記録開始直後の記録品位が低下したり、あるいはフォーカス制御やトラッキング制御がサーボ動作するのに十分な光量が得られずにサーボが破綻する問題がある。
【００１１】
この問題を防止するためには記録開始直後に信号発生回路から安定した制御信号が発生されるようにしてレーザードライバに安定した制御信号が供給されるようにすることが必要で、１つの方法としては、ＡＰＣ回路によりモニタ電圧をフィードバックする経路とは別に信号発生回路の制御信号を記録開始前に設定する先出し用設定回路を設け、この先出し用設定回路により記録開始前に信号発生回路を立ち上げておき、記録が開始された時点で前記ＡＰＣ回路から信号を供給するようにすることで、記録開始直後において信号発生回路から発生される制御信号を立ち上がった状態とすることが出来る。
【００１２】
ところで、信号発生回路から発生される制御信号を記録開始前と記録開始直後とで同一レベルとするために前記先出し用設定回路により信号発生回路の制御信号を設定する設定値をＡＰＣ回路により設定される設定値に合わせる必要がある。
【００１３】
その為、前記先出し用設定回路により信号発生回路の制御信号を設定する設定値を決定するべく事前にＡＰＣ回路により設定される設定値のデータを取得する必要があった。
【００１４】
このデータ取得は、ライトワンスのディスクの場合、実際にディスク記録が行なわれては困るので、フォーカスを信号面から外した状態で光学ヘッドを発光させてＡＰＣ回路を動作させて信号発生回路から発生される制御信号レベルを測定して行なうことが考えられるが、このようにすると、フォーカスサーボのオン・オフが必要となり、ディスク記録の準備時間が長くなる問題があった。
【００１５】
また、ディスク記録は同一種類のディスクであっても複数の任意の速度に選択可能となっているので、選択される記録速度によってデータ量当たりのデータ取得の間隔が相違する問題があった。
【００１６】
本発明は上述の問題点に鑑み、記録前に信号発生回路の制御信号を設定する設定値のデータ取得を工夫した光ディスク記録装置を提供することを目的とする。
【００１７】
【課題を解決するための手段】
本発明は、レーザー駆動信号のパルス波形におけるライトパワー値、あるいはイレーズパワー値に対応してレーザードライバを制御する制御出力を発生する信号発生回路を設け、該信号発生回路により発生させる制御出力をそれぞれ設定する２系統の設定回路を選択的に使用可能とし、一方の系統の設定回路を記録が開始される時点で選択すると共に、他方の系統の設定回路を記録が開始される直前まで選択し、前記一方の系統の設定回路はレーザー光源の発光出力光量を最適記録レベルに制御する調整時に段階的に設定値が変化され、レーザー光源の発光出力光量が最適記録レベルであると判断された際の最適設定値に設定し、前記レーザー光源の発光出力光量を最適記録レベルに制御する調整時に前記信号発生回路により発生させる制御出力を測定すると共に、この測定した制御出力に対応する測定データを記録用ディスクのウォブル同期信号のタイミングで取得し、レーザー光源の発光出力光量が最適記録レベルであると判断された際に測定された測定データに基づいて前記他方の系統の設定回路の設定値を設定し、記録開始の直前に前記他方の系統の設定回路により前記信号発生回路からレーザー光源の発光出力光量が最適記録レベルとなる制御出力を発生するようにしている。このようにウォブル同期信号のタイミングで測定データを取得することで、ディスク記録中に前記他方の系統の設定回路の設定値を設定可能とし、また、記録速度の変化に応じてデータ量当たりのデータ取得の間隔を一定にしている。
【００１８】
【実施例】
図１は本発明に係る光ディスク記録装置の一実施例を示す回路ブロック図である。
【００１９】
光学ヘッドの光源となるレーザーダイオード１はレーザードライバ２により駆動され、ディスク（図示せず）に対して記録及び再生を行うためのレーザービームを出射する。
【００２０】
光学ヘッドにはレーザーダイオード１から出射されてディスクに導かれる光路途中で分離されるレーザービームを受光するフロントモニターダイオード３が備えられており、このフロントモニターダイオード３は受光されるレーザービームの光量に応じて受光電流が流れ、この受光電流に応じたモニター出力を発生する。
【００２１】
レーザードライバ２には、エンコーダ／デコーダ４の動作に関連付けられたタイミングで切り換えられるスイッチ回路５，６，７により選択される信号が供給され、ディスク再生時においてリード／ボトムパワー信号発生回路８から発生されるリードパワー信号が供給され、ライトワンスディスクの記録時においてリード／ボトムパワー信号発生回路８から発生されるリードパワー信号と、ライト／イレーズパワー信号発生回路９から発生されるライトパワー信号とにより生成されるパルス波形信号が供給され、オーバーライトディスクの記録時においてリード／ボトムパワー信号発生回路８から発生されるボトムパワー信号と、ライト／イレーズパワー信号発生回路９から発生されるイレーズパワー信号と、増幅器１０により得られるピークパワー信号とが合成されて生成されるマルチパルス波形信号が供給される。
【００２２】
リード／ボトムパワー信号発生回路８には、ＡＰＣ（Ａｕｔｏｍａｔｉｃ  Ｐｏｗｅｒ  Ｃｏｎｔｒｏｌ）回路１１からのＡＰＣ出力が入力される。このＡＰＣ回路１１には、フロントモニターダイオード３に受光されるレーザービームの光量に応じたモニター出力をサンプル・ホールド回路（Ｓ／Ｈ回路）１２によりエンコーダ／デコーダ４による処理動作に関連付けられた適切なタイミングでサンプル・ホールドしたＳ／Ｈ電圧と、ＣＰＵ１３に記録条件、再生条件に対応してあらかじめ取得されて記憶されたデータをデジタル・アナログ変換回路（Ｄ／Ａ回路）１４によりデジタル・アナログ変換した基準電圧とが印加され、ＡＰＣ回路１１は基準電圧に対する前記Ｓ／Ｈ電圧の差分電圧に対応してＡＰＣ出力を補正する。
【００２３】
その為，リード／ボトムパワー信号発生回路８は、前記ＡＰＣ回路１１からのＡＰＣ出力によりフロントモニターダイオード３からのモニター出力をリードパワー値、あるいはボトムパワー値に対応する一定に制御するべくレーザードライバ２を制御する制御信号を発生する。
【００２４】
ディスク再生時において、ＣＰＵ１３からＤ／Ａ回路１４に供給されるデータはレーザーダイオード１の駆動がディスク種別や記録速度等の再生条件に適切なレーザー出力となるように設定されている。その為、リード／ボトムパワー信号発生回路８は再生条件に適合するディスク再生に適切な一定レベルにレーザーダイオード１からのレーザー出力を制御するべくレーザードライバ２を制御するリードパワー信号を発生する。
【００２５】
一方、ディスク記録時において、ＣＰＵ１３からＤ／Ａ回路１４に供給されるデータはレーザーダイオード１の駆動がライトワンス及びオーバーライトの記録方式を含めたディスク種別や記録速度等の記録条件に適合したリードパワー値、あるいはボトムパワー値に適切なレーザー出力となるように設定されている。その為、リード／ボトムパワー信号発生回路８は記録条件に適合するディスク記録に適切なリードパワー値、あるいはボトムパワー値の一定レベルにレーザーダイオード１からのレーザー出力を制御するべくレーザードライバ２を制御するリードパワー信号、あるいはボトムパワー信号を発生する。
【００２６】
ライト／イレーズパワー信号発生回路９にはスイッチ回路１５の切り換えによりＡＰＣ回路１６からのＡＰＣ出力とＡＣＣ（Ａｕｔｏｍａｔｉｃ  Ｃｕｒｒｅｎｔ  Ｃｏｎｔｒｏｌ）回路１７からのＡＣＣ出力とのいずれかが選択的に入力される。
【００２７】
ＡＰＣ回路１６には、フロントモニターダイオード３に受光されるレーザービームの光量に応じたモニター出力をサンプル・ホールド回路（Ｓ／Ｈ回路）１８によりライトパワー信号、あるいはイレーズパワー信号が発生されるタイミングでサンプル・ホールドしたＳ／Ｈ電圧と、ＣＰＵ１３に記録条件に対応してあらかじめ取得されて記憶されたデータをデジタル・アナログ変換回路（Ｄ／Ａ回路）１９によりデジタル・アナログ変換した基準電圧とが印加され、ＡＰＣ回路１６は、基準電圧に対する前記Ｓ／Ｈ電圧の差分電圧に対応してＡＰＣ出力を補正する。
【００２８】
その為，スイッチ回路１５の切り換えによりＡＰＣ回路１６からのＡＰＣ出力が選択された際には、ライト／イレーズパワー信号発生回路９は前記ＡＰＣ回路１６からのＡＰＣ出力によりフロントモニターダイオード３からのモニター出力をライトパワー値、あるいはイレーズパワー値に対応する一定に制御するべくレーザードライバ２を制御するライトパワー信号、あるいはイレーズパワー信号を発生する。この場合、ライト／イレーズパワー信号発生回路９は記録条件に適合するディスク記録に適切なライトパワー値、あるいはイレーズパワー値の一定レベルにレーザーダイオード１からのレーザー出力を制御するべくレーザードライバ２を制御するライトパワー信号、あるいはイレーズパワー信号を発生する。
【００２９】
一方、ＡＣＣ回路１７にはＣＰＵ１３に記憶されるデータをデジタル・アナログ変換回路（Ｄ／Ａ回路）２０によりデジタル・アナログ変換して発生されるＡＣＣ電圧が印加され、ＡＣＣ回路１７はこのＡＣＣ電圧を基に電流一定のＡＣＣ信号を発生する。
【００３０】
その為，スイッチ回路１５の切り換えによりＡＣＣ回路１７からのＡＣＣ出力が選択された際には、ライト／イレーズパワー信号発生回路９は前記ＡＣＣ回路１７からのＡＣＣ出力によりライトパワー値、あるいはイレーズパワー値に対応してレーザードライバ２を制御するライトパワー信号、あるいはイレーズパワー信号を発生する。この場合、ライト／イレーズパワー信号発生回路９は記録条件に適合するディスク記録に適切なライトパワー値、あるいはイレーズパワー値にレーザーダイオード１からのレーザー出力を制御するべくレーザードライバ２を制御するライトパワー信号、あるいはイレーズパワー信号を発生する。
【００３１】
切換制御回路２１はエンコーダ／デコーダ４の動作に基づいてスイッチ回路１５の切り換えを制御し、これによりスイッチ回路１５はディスク記録時の記録直前までＡＣＣ回路１７からのＡＣＣ出力が選択され、記録開始と同時にＡＰＣ回路１６からのＡＰＣ出力が選択されるようになっている。
【００３２】
すなわち、ＡＣＣ回路１７はライト／イレーズ信号発生回路９によりディスク記録時の記録直前まで発生させる制御出力を設定する先出し用設定回路となっている。
【００３３】
増幅器１０にはオーバーライト方式のディスク記録が行なわれる場合にライト／イレーズ信号発生回路９から発生されるイレーズ信号がＣＰＵ１３によって減衰率が設定されるアッテネータ２２により減衰されて供給され、これにより増幅器１０はオーバーライト方式のディスク記録時のピークパワー信号を発生する。
【００３４】
アッテネータ２２に設定される減衰率は、図２（ロ）を参照すると、ディスク記録に適合するイレーズパワー値Ｐｅに対するピークパワー値Ｐｐの比率Ｐｐ／Ｐｅであるε値の決定に基づいてＣＰＵ１３から出力される減衰率設定データに対応して設定され、増幅器１０から出力されるピークパワー信号は決定されたε値に対応したピークパワー値となるようになっている。
【００３５】
ところで、ライト／イレーズ信号発生回路９から発生される制御信号は、アナログ・デジタル変換回路（Ａ／Ｄ回路）２３によりデジタル信号に変換され、その後、ＣＰＵ１３内にファームウエアにより組み入れられる測定機能部２４により信号レベルが測定される。
【００３６】
記録ディスクにはプリグルーブが形成されており、実施例に示すＣＤ記録系ディスクの場合、ウォブルデコーダ２５はこのプリグルーブのウォブル（Ｗｏｂｂｌｅ）からウォブル信号を復調する。ＡＴＩＰデコーダ２６はこのウォブル信号に含まれるＡＴＩＰ（Ａｂｓｏｌｕｔｅ  Ｔｉｍｅ  Ｉｎ  Ｐｒｅｇｒｏｏｖｅ）アドレスを復号する。
【００３７】
このＡＴＩＰアドレスの復号の際に検出されるＡＴＩＰ同期信号は測定機能部２４に供給され、測定機能部２４はＡＴＩＰ同期信号が供給されるタイミングでＡ／Ｄ回路２３によりデジタル信号に変換されたライト／イレーズ信号発生回路９からの制御信号を測定する。
【００３８】
図１のように構成される光ディスク装置において、ディスク再生時にレーザードライバ２にはリード／ボトムパワー信号発生回路８から発生されるリードパワー信号が供給され、エンコーダ／デコーダ４によりディスク再生されるべくデコードされたデータに対応してスイッチ回路５が閉じられ、スイッチ回路６，７が開放されるべく切り換えられると共に、リード／ボトムパワー信号発生回路８から発生されるリードパワー信号が再生条件に適合するべくＤ／Ａ回路１４にデータが供給される。
【００３９】
ライトワンス方式のディスク記録時において、レーザードライバ２には図２（イ）に示すようなパルス波形信号が供給され、レーザードライバ２から発生されるパルス波形のレーザー駆動信号は、マーク記録を行うライト信号の期間Ｗとスペース記録を行うリードパワー信号の期間Ｒとにより構成され、リードパワー信号及びライトパワー信号をそれぞれ選択的に供給させるスイッチ回路５及び６は、スペース及びマークを記録する期間に応じたパルス波形となるようにエンコーダ／デコーダ４によりディスク記録されるべくエンコードされたデータに対応して切り換えられる。この場合、スイッチ回路７が開放されたままとなり、増幅器１０から発生される信号は用いられない。
【００４０】
また、オーバーライト方式のディスク記録時において、レーザードライバ２には図２（ロ）に示すようなマルチパルス波形信号が供給され、レーザードライバ２から発生されるマルチパルス波形のレーザー駆動信号は、スペース記録を行うイレーズパワー信号の期間Ｅとピークパワー信号及びボトムパワー信号間で振幅されてマーク記録を行うパルス波形信号の期間Ｐとにより構成され、イレーズパワー信号、ピークパワー信号及びボトムパワー信号をそれぞれ選択的に供給させるスイッチ回路５，６，７は、スペース及びマークを記録する期間に応じたマルチパルス波形となるようにエンコーダ／デコーダ４によりディスク記録されるべくエンコードされたデータに対応して切り換えられる。
【００４１】
尚、エンコーダ／デコーダ４には記録時にパソコンやデジタルソース機器等の上位機器から送信されるメインデータが入力される。
【００４２】
次に、記録開始前後にレーザードライバ２に供給される制御信号に関して以下に説明する。
【００４３】
図３は図１の所定の各回路から出力される各信号を示すタイミングチャートであり、このタイミングチャートはライトワンス方式のディスク記録の例を示しており、再生によりディスクの記録位置を検出して記録に移行する例を示している。
【００４４】
スイッチ回路５，６及び７はエンコーダ／デコーダ４からそれぞれ出力される制御信号ＬＤＯＮ，ＰＥＯ及びＰＷＯにより切換制御され、スイッチ回路５は再生期間ＴＲ及び記録期間ＴＷにおいて閉じた状態が維持され、スイッチ回路６は再生期間ＴＲにおいて開放された状態であると共に、記録期間ＴＷになると記録データに基づいてディスクにピットとなる記録マークを記録する期間に対応して閉じられ、スイッチ回路７はライトワンス方式のディスク記録の場合、開放された状態に維持される。
【００４５】
その為、リード／ボトムパワー信号発生回路８からの出力電圧ＶＲＤＣは再生期間ＴＲ及び記録期間ＴＷ中ずっとレーザードライバ２に供給され、ライト／イレーズパワー信号発生回路９からの出力電圧ＶＷＤＣは記録期間ＴＷ中の記録データに基づいてディスクにピットとなる記録マークを記録する期間のみレーザードライバ２に供給される。
【００４６】
ところで、ライト／イレーズパワー信号発生回路９は再生期間ＴＲ中の記録開始前に切換制御回路２１によりスイッチ回路１５がＡＣＣ回路１７を選択する状態になると共に、記録開始の所定期間前からＣＰＵ１３の制御に基づいてＡＣＣ回路１７によりライト／イレーズパワー信号発生回路９からライトパワー信号を発生させるＡＣＣ信号が供給される。
【００４７】
その為、ライト／イレーズパワー信号発生回路９は再生期間ＴＲ中の記録開始前からＡＣＣ回路１７により設定されるライトパワー信号（ＶＷＤＣ）を発生する。
【００４８】
記録期間ＴＷになると、切換制御回路２１によりスイッチ回路１５がＡＰＣ回路１６を選択する状態に切り換えられ、ライト／イレーズパワー信号発生回路９から発生されるライトパワー信号（ＶＷＤＣ）がＡＰＣ回路１６により設定されるようになる。
【００４９】
このスイッチ回路１５の切り換えによりライト／イレーズパワー信号発生回路９から発生されるライトパワー信号（ＶＷＤＣ）がＡＰＣ回路１６により設定される状態に切り換えられる際には既にライト／イレーズパワー信号発生回路９はＡＣＣ回路１７からＡＣＣ信号が供給されていることによりライトパワー信号（ＶＷＤＣ）の立上げが行なわれている。
【００５０】
すなわち、スイッチ回路６が閉じられてライト／イレーズパワー信号発生回路９から発生されるライトパワー信号（ＶＷＤＣ）がレーザードライバ２に供給される以前にライト／イレーズパワー信号発生回路９はライトパワー信号（ＶＷＤＣ）を発生する状態になっている。
【００５１】
したがって、記録期間ＴＷとなり、記録データに基づいて記録開始と同時にディスクにピットとなる記録マークを記録する期間となってスイッチ回路６が閉じられてもライト／イレーズパワー信号発生回路９からは安定したライトパワー信号（ＶＷＤＣ）が発生され、レーザードライバ２に供給される制御信号ＶＣは記録開始直後から十分に立ち上がった安定したパルス波形となる。
【００５２】
因みに、記録開始前にＡＣＣ回路１７によるＡＣＣ信号がライト／イレーズパワー信号発生回路９に供給されるようになっていない場合、ＡＰＣ回路１６が安定するまでの期間によってライト／イレーズパワー信号発生回路９の立ち上りが遅れ、記録期間ＴＷの開始時からライト／イレーズパワー信号発生回路９が立ち上がることによりレーザードライバ２に供給される制御信号ＶＣは破線に示す如く、記録開始直後が安定していないパルス波形となる。
【００５３】
ところで、記録開始前にライト／イレーズパワー信号発生回路９からライトパワー信号を発生させるＡＣＣ信号を供給するＡＣＣ回路１７は、ＣＰＵ１３に格納されているデータをＤ／Ａ回路２０に供給することによりＡＣＣ信号のレベルが設定される。
【００５４】
ＯＰＣ時において、スイッチ回路１５によりＡＰＣ回路１６からのＡＰＣ出力が供給される状態になると、試し書きが行なわれる際に記録ディスクのプリグルーブから抽出されたウォブル信号に含まれるウォブル同期信号、すなわち本実施例においてはＣＤ系記録ディスクであるのでＡＴＩＰ同期信号（ＤＶＤ−系記録ディスクである場合はＬＰＰ、ＤＶＤ＋系記録ディスクである場合はＡＤＩＰ同期信号）が検出されるタイミングで、ライト／イレーズパワー信号発生回路９からの出力電圧ＶＷＤＣはＡ／Ｄ回路２３によりデジタルデータに変換されてＣＰＵ１３の測定機能部２４により測定される。
【００５５】
このＯＰＣ時における試し書きは、試行パワーが段階的に変化されるようにＤ／Ａ回路１９にＣＰＵ１３から試行パワーに対応するデータを供給して行なわれ、目標のβ値となる試行パワーに対応するデータが通常のディスク記録開始直後にライト／イレーズパワー信号発生回路９から出力電圧ＶＷＤＣを発生させるデータとしてＣＰＵ１３内のＲＡＭ（図示せず）に記憶され、このデータが記録開始直後にＡＰＣ回路１６のＡＰＣ信号を設定するＤ／Ａ回路１９に供給される。
【００５６】
そして、ＡＴＩＰ同期信号が検出される毎に測定されるライト／イレーズパワー信号発生回路９からの出力電圧ＶＷＤＣのデジタルデータは、所定箇所の所定数をサンプルとしてＣＰＵ１３内のＲＡＭに取り込まれ、ＣＰＵ１３はこれらのサンプルの平均値を算出して試行パワーに対応する出力電圧ＶＷＤＣの値とし、ＡＣＣ回路１７のＡＣＣ信号を設定するＤ／Ａ回路２０に供給されるデータとして前記出力電圧ＶＷＤＣの値に対応するデータを前記ＲＡＭに保存する。
【００５７】
そして、ディスク記録開始前の再生中において、前記出力電圧ＶＷＤＣの値に対応するデータをＣＰＵ１３からＡＣＣ回路１７のＡＣＣ信号を設定するＤ／Ａ回路２０に供給し、これによりライト／イレーズパワー信号発生回路９はＡＣＣ回路１７のＡＣＣ信号が供給されることによりディスク記録に概ね適合する出力電圧ＶＷＤＣを発生するようになっている。
【００５８】
ところで、データの記録方式によってデータの記録単位に複数のウォブル同期信号が存在する場合があり、８ＡＴＩＰ期間を一つの記録単位とした例を示すタイミングチャートを図４に示すが、このような場合に記録開始直後のＡＴＩＰ同期信号（ＡＴＩＰＳＹＮＣ）の検出時はライト／イレーズパワー信号発生回路９からの出力電圧ＶＷＤＣが立ち上がり途中となるので、この際に測定される出力電圧ＶＷＤＣはＡＣＣ回路１７のＡＣＣ信号を設定するＤ／Ａ回路２０に供給されるデータを算出するサンプルから除くことにより不適な値のデータが算出サンプルから除かれる。
【００５９】
また、ライト／イレーズパワー信号発生回路９からの出力電圧ＶＷＤＣの測定サンプルを大きい順、あるは小さい順に並べて中央の数サンプルの平均値を求めてその平均値のデータとしても良いし、その中央の１サンプルをデータとしてもＤ／Ａ回路２０に供給するのに適切な値のデータとすることが出来る。
【００６０】
このようにしてＡＣＣ回路１７のＡＣＣ信号を設定するＤ／Ａ回路２０に供給されるデータは、ライト／イレーズパワー信号発生回路９からの出力電圧ＶＷＤＣを測定した測定データに基づいて設定されるので、ディスク記録開始前においてディスク記録に概ね適合する出力電圧ＶＷＤＣが発生されることになる。
【００６１】
また、前記測定データはウォブル同期信号のタイミングで取得されるので、ディスクの記録速度が変化してもこの変化に対応してウォブル同期信号のタイミングが変化しデータ量当たりのデータ取得間隔が一定であり、ディスクの記録速度に関係無く所定のサンプル数のデータ取得によりＤ／Ａ回路２０に供給されるデータが設定される。
【００６２】
また、ウォブル同期信号にて測定データの取得を行っているので、この測定データの取得がＣＰＵ１３の割り込み処理にて達成でき、他の動作処理を実行しながら行える。
【００６３】
更に、測定データの取得がＯＰＣ時に行えるので、フォーカスを外した状態で光学ヘッドを記録パワーで発光させてその際のモニタ電圧を監視する必要が無いので、フォーカスサーボのオン・オフ動作を必要としない。
【００６４】
尚、ライトワンス方式のディスク記録について説明したが、オーバーライト方式のディスク記録においても同様にディスク記録開始前においてディスク記録に概ね適合する出力電圧ＶＷＤＣがライト／イレーズパワー信号発生回路９から発生され、レーザードライバには記録開始直後から安定した制御信号が供給される。オーバーライト方式のディスク記録の場合、マーク記録期間でスイッチ回路７がオン・オフされることにより増幅器１０からのピークパワー信号がレーザードライバ２に供給される期間と供給されない期間とが交互となりレーザードライバ２に供給される制御信号は図２（ロ）に示す如くマルチパルス波形となる。
【００６５】
【発明の効果】
以上のとおり、本発明は、記録開始前からレーザー光源の発光出力光量が最適記録レベルとなる制御出力を信号発生回路から発生するようにしているので、レーザードライバには記録開始直後から安定した制御信号を供給することが出来、この場合、信号発生回路からの制御出力を測定した測定データに基づいて他方の系統の設定回路の設定値を設定するようにしているので、ディスク記録に適合する制御出力をディスク記録開始前から発生させることが出来る。
【００６６】
特に、記録開始直後のウォブル同期信号の検出時に取得される測定データのサンプルを除いて他方の系統の設定回路の設定値を設定するようにしているので、ディスク記録開始前に信号発生回路から発生される制御出力をディスク記録に適切なレベルとすることが出来る。
【００６７】
また、他方の系統の設定回路の設定値を設定するデータ取得をウォブル同期信号のタイミングで行っているので、割り込み処理にて達成でき、他の動作処理を実行しながら行えると共に、ディスクの記録速度が変化に伴ってデータ取得タイミングが変化し、データ量当たりのデータ取得間隔を一定とすることが出来る。
【図面の簡単な説明】
【図１】本発明に係る光ディスク記録装置の一実施例を示す回路ブロック図である。
【図２】光学ヘッドのレーザーダイオードを駆動するパルス波形信号を説明する説明図である。
【図３】図１の所定の各回路から出力される各信号を示すタイミングチャートである。
【図４】データの記録単位に複数のウォブル同期信号が存在する場合の一例を示すタイミングチャートである。
【符号の説明】
１          レーザーダイオード
２          レーザードライバ
３          フロントモニターダイオード
４          エンコーダ／デコーダ
５，６，７，１５          スイッチ回路
８          リード／ボトムパワー信号発生回路
９          ライト／イレーズパワー信号発生回路（信号発生回路）
１０          増幅器
１６          ＡＰＣ回路（一方の系統の設定回路）
１７          ＡＣＣ回路（他方の系統の設定回路）
１２，１８          サンプル・ホールド回路
１３          ＣＰＵ
２３          アナログ・デジタル変換回路
２４          測定機能部
２５          ウォブルデコーダ
【図１】
2004295980.tif 000003
【図２】
2004295980.tif 000004
【図３】
2004295980.tif 000005
【図４】
2004295980.tif 000006